(57)【要約】【課題】基線の位置やバーニヤ目盛の零位置に対応する記入貼着シートに記入された表記を対応視認することにより長さ寸法に依拠する被測定物の測定仕様に対する分別領域や判別領域、不揃い領域等を視認することができる。【解決手段】本尺１にスライダ２を長手方向に摺動自在に設け、本尺に一方の測定ジョー３を設け、スライダに一方の測定ジョーとともに被測定物Ｗに当接される他方の測定ジョー４を設け、本尺の下辺部に下側本尺目盛５を設け、本尺の上辺部に上側本尺目盛６を設け、スライダに下側本尺目盛に対向してバーニヤ目盛７を設け、スライダに上側本尺目盛に対向して基線８を設けてなり、下側本尺目盛と上側本尺目盛との境界部分に貼着され、被測定物の測定仕様に依拠する文字、図形、記号、数値等の表記Ｑを記入可能な記入貼着シート９を備えてなる。【選択図】図１
2014206397.tif 000002
【特許請求の範囲】
【請求項１】
本尺にスライダを長手方向に摺動自在に設け、該本尺に一方の測定ジョーを設け、該スライダに該一方の測定ジョーとともに被測定物に当接される他方の測定ジョーを設け、該本尺の下辺部に下側本尺目盛を設け、該本尺の上辺部に上側本尺目盛を設け、上記スライダに該下側本尺目盛に対向してバーニヤ目盛を設け、上記スライダに該上側本尺目盛に対向して基線を設けてなり、上記下側本尺目盛と上記上側本尺目盛との境界部分に貼着され、上記被測定物の測定仕様に依拠する文字、図形、記号、数値等の表記を記入可能な記入貼着シートを備えてなることを特徴とするノギス。
【請求項２】
上記下側本尺目盛及び上記上側本尺目盛は、互いに目盛間隔及び目盛位置が同様な上下に対向する目盛に形成されていることを特徴とする請求項１記載のノギス。
【請求項３】
上記本尺及び上記スライダは合成樹脂からなることを特徴とする請求項１又は２記載のノギス。
【請求項４】
上記スライダに永久磁石を配設してなることを特徴とする請求項３記載のノギス。
【発明の詳細な説明】
【技術分野】
【０００１】
本発明は長さ測定器としてのノギスに関するものである。
【背景技術】
【０００２】
従来、この種のノギスとして、合成樹脂製の本尺に合成樹脂製のスライダを長手方向に摺動自在に設け、本尺に一方の測定ジョーを設け、スライダに一方の測定ジョーと共に被測定物に当接される他方の測定ジョーを設け、本尺に本尺目盛を設け、スライダにバーニヤ目盛を設けてなる構造のものが知られている。
【先行技術文献】
【特許文献】
【０００３】
【特許文献１】特開昭５８−１１５３０１号公報
【発明の概要】
【発明が解決しようとする課題】
【０００４】
しかしながら上記従来構造の場合、単に被測定物の長さ寸法の測定に限らず、被測定物の測定仕様、例えば、被測定物の長さ寸法に依拠する階級毎に分別する作業に使用することがあり、より具体的には、野菜や果実のＳ、Ｍ、Ｌ、２Ｌ、３Ｌの長さ寸法に依拠する階級毎に分別する作業に使用することがあり、このような場合、野菜や果実の長さ寸法と階級との相関関係を示す相関表を作成したり、又は頭で記憶したりする必要があり、それだけ、作業性が低下することがあるという不都合を有している。
【課題を解決するための手段】
【０００５】
本発明はこれらの不都合を解決することを目的とするもので、本発明のうちで、請求項１記載の発明は、本尺にスライダを長手方向に摺動自在に設け、該本尺に一方の測定ジョーを設け、該スライダに該一方の測定ジョーと共に被測定物に当接される他方の測定ジョーを設け、該本尺の下辺部に下側本尺目盛を設け、該本尺の上辺部に上側本尺目盛を設け、上記スライダに該下側本尺目盛に対向してバーニヤ目盛を設け、上記スライダに該上側本尺目盛に対向して基線を設けてなり、上記下側本尺目盛と上記上側本尺目盛との境界部分に貼着され、上記被測定物の測定仕様に依拠する文字、図形、記号、数値等の表記を記入可能な記入貼着シートを備えてなることを特徴とするノギスにある。
【０００６】
又、請求項２記載の発明は、上記下側本尺目盛及び上記上側本尺目盛は、互いに目盛間隔及び目盛位置が同様な上下に対向する目盛に形成されていることを特徴とするものであり、又、請求項３記載の発明は、上記本尺及び上記スライダは合成樹脂からなることを特徴とするものであり、又、請求項４記載の発明は、上記スライダに永久磁石を配設してなることを特徴とするものである。
【発明の効果】
【０００７】
本発明は上述の如く、請求項１記載の発明にあっては、下側本尺目盛と上記上側本尺目盛との境界部分に貼着され、上記被測定物の測定仕様に依拠する文字、図形、記号、数値等の表記を記入可能な記入貼着シートを備えてなるから、被測定物の測定仕様に依拠する文字、図形、記号、数値等の表記を記入可能な記入貼着シートを上記下側本尺目盛と上記上側本尺目盛との境界部分に貼着することができ、記入貼着シートに被測定物の測定仕様に依拠する文字、図形、記号、数値等の表記を記入し、そして、長さ寸法を測定する場合と同様に、本尺に対してスライダを摺動して一方の測定ジョーと他方の測定ジョーとを被測定物に当接し、基線の位置やバーニヤ目盛の零位置に対応する記入貼着シートに記入された表記を対応視認することにより長さ寸法に依拠する被測定物の測定仕様に対する分別領域や判別領域、不揃い領域等を視認することができ、被測定物の測定仕様に基づく各種作業の作業性を向上することができ、かつ、要求される読み取り精度に応じて、本尺の下辺部の下側本尺目盛と下側本尺目盛に対向するバーニヤ目盛とにより長さ寸法を細かく読み取ったり、本尺の上辺部の上側本尺目盛と上側本尺目盛に対向する基線とによりそれほど細かくない長さ寸法で読み取ることができ、読み取りの融通性を高めることができる。
【０００８】
又、請求項２記載の発明にあっては、上記下側本尺目盛及び上記上側本尺目盛は、互いに目盛間隔及び目盛位置が同様な上下に対向する目盛に形成されているから、記入貼着シートへの文字、図形、記号、数値等の表記の記入を容易に行うことができると共に表記とバーニヤ目盛又は基線との対応を容易に視認することができ、又、請求項３記載の発明にあっては、上記本尺及び上記スライダは合成樹脂からなるので、金属製ノギスと比較して軽量化及び製作コストの低減を図ることができ、又、請求項４記載の発明にあっては、上記スライダに永久磁石を配設してなるから、不使用時等において、スライダを鋼製棚や鋼製作業台等の金属鋼材に磁着しておくことができ、誤って合成樹脂製ノギスを作業者に踏まれたり、誤って合成樹脂製ノギスを落としてしまったことによる不測の折損や欠損を防ぐことができ、合成樹脂製ノギスの取り扱い性を向上することができる。
【図面の簡単な説明】
【０００９】
【図１】本発明の実施の第一形態例の斜視図である。
【図２】本発明の実施の第一形態例の正面図である。
【図３】本発明の実施の第一形態例の裏面図である。
【図４】本発明の実施の第一形態例の側断面図である。
【図５】本発明の実施の第一形態例の使用状態図である。
【図６】本発明の実施の第二形態例の正面図である。
【図７】本発明の実施の第三形態例の正面図である。
【図８】本発明の実施の第四形態例の正面図である。
【発明を実施するための形態】
【００１０】
図１乃至図８は本発明の実施の形態例を示し、図１乃至図５は第一形態例、図６は第二形態例、図７は第三形態例、図８は第四形態例である。
【００１１】
図１乃至図５の第一形態例において、１は本尺、２はスライダであって、本尺１及びスライダ２はいずれも合成樹脂により製作され、本尺１にスライダ２を摺動機構Ｋにより長手方向に摺動自在に設け、本尺１に一方の測定ジョー３を設け、スライダ２に一方の測定ジョー３と共に被測定物Ｗに当接される他方の測定ジョー４を設け、本尺１の下辺部に下側本尺目盛５を設け、本尺１の上辺部に上側本尺目盛６を設け、上記スライダ２に下側本尺目盛５に対向してバーニヤ目盛７を設け、上記スライダ２に上側本尺目５に対向して基線８を設け、これにより合成樹脂製ノギスＭを構成している。なお、上記合成樹脂として、この場合、ポリカーボネート樹脂を用いている。
【００１２】
この場合、上記摺動機構Ｋとして、上記本尺１の長尺部分１ａの上端面及び下端面を三角凸条部１ｂ・１ｂに形成し、スライダ２に三角凹条部２ａ・２ａを形成し、三角凸条部１ｂ・１ｂと三角凹条部２ａ・２ａとにより本尺１にスライダ２を長手方向に摺動自在に設けている。
【００１３】
又、この場合、上記本尺１の裏面に長手方向に凹状溝部１ｃを形成し、スライダ２に凹状溝部１ｃ内を摺動するデプスバー２ｂを設け、デプスバー２ｂにより長尺部分１ａの端部からの穴の深さ等を測定可能に構成しており、又、上記本尺１及びスライダ２にそれぞれ内径測定用の対向一対のジョー１ｄ・２ｃを設けて構成している。
【００１４】
９は記入貼着シートであって、例えば、細長い樹脂テープにより形成され、裏面には剥離シートが仮粘着され、表面はボールペンや鉛筆等の筆記具により上記被測定物Ｗの測定仕様に依拠する文字、図形、記号、数値等の表記Ｑを記入可能に形成され、剥離シートを剥離することにより、上記下側本尺目盛５と上記上側本尺目盛６との境界部分に貼着される。
【００１５】
１０は永久磁石であって、この場合、図３、図４の如く、上記スライダ２の裏面下部に埋込状態で配設されており、永久磁石１０は希土類磁石としてのネオジム磁石が用いられている。
【００１６】
１１はストラップ用穴であって、この場合、ボールチェーンや合成樹脂製紐等の吊下用のストラップを止着可能な穴となっている。
【００１７】
この実施の第一形態例は上記構成であるから、上記被測定物Ｗの測定仕様に依拠する文字、図形、記号、数値等の表記Ｑを記入可能な記入貼着シート９を上記下側本尺目盛５と上記上側本尺目盛６との境界部分に貼着することができ、野菜や果実等を長さ寸法に依拠する階級毎に分別する作業にあたり、記入貼着シート９に被測定物Ｗとしての野菜や果実等の長さ寸法に依拠するＳ、Ｍ、Ｌ、２Ｌ、３Ｌ等の階級を示す文字等の表記Ｑを上側本尺目盛６又は下側本尺目盛５に基づいて記入しておくことができ、そして、図１の如く、長さ寸法を測定する場合と同様に、本尺１に対してスライダ２を摺動して一方の測定ジョー３と他方の測定ジョー４とを被測定物Ｗに当接し、このときの基線８の位置又はバーニヤ目盛７の零位置に対応する記入貼着シート９に記入された表記Ｑを対応視認することににより野菜や果実等の長さ寸法に依拠する階級を視認することができ、野菜や果実の長さ寸法と階級との相関関係を示す相関表を作成したり、又は、頭で記憶したりする必要がなくなり、分別作業の作業性を向上することができ、かつ、要求される読み取り精度に応じて、本尺１の下辺部の下側本尺目盛５と下側本尺目盛５に対向するバーニヤ目盛７とにより長さ寸法を細かく読み取ったり、本尺１の上辺部の上側本尺目盛６と上側本尺目盛６に対向する基線８とによりそれほど細かくない長さ寸法で読み取ることができ、読み取りの融通性を高めることができる。
【００１８】
この場合、上記下側本尺目盛５及び上記上側本尺目盛６は、互いに目盛間隔及び目盛位置が同様な上下に対向する目盛に形成されているから、記入貼着シート９への文字、図形、記号、数値等の表記Ｑの記入を容易に行うことができると共に表記Ｑとバーニヤ目盛７又は基線８との対応を容易に視認することができ、又、この場合、上記本尺１及び上記スライダ２は合成樹脂からなるので、金属製ノギスに比較して軽量化及び製作コストの低減を図ることができ、又、この場合、上記スライダ２に永久磁石１０が配設されているから、不使用時等において、スライダ２を鋼製棚や鋼製作業台等の金属鋼材Ｓに磁着しておくことができ、誤って合成樹脂製ノギスＭを作業者に踏まれたり、誤って合成樹脂製ノギスＭを落としてしまったことによる不測の折損や欠損を防ぐことができ、合成樹脂製ノギスＭの取り扱い性を向上することができる。
【００１９】
又、この場合、上記本尺１にストラップ用穴１１を形成しているから、ストラップ用穴１１に各種のストラップを止着することができ、非作業時や保管時において、合成樹脂製ノギスＭの持ち運びの利便性を向上することができる。
【００２０】
図６の第二形態例は別例構造を示し、この場合、上記被測定物Ｗの測定仕様に依拠する文字、図形、記号、数値等の表記Ｑとして、下側本尺目盛５及び上側本尺目盛６の５０ｍｍの位置を０目盛とし、この０目盛を境にして左右に目盛を振った表記Ｑとしてあり、例えば、長さ５０ｍｍを基準の長さとし、この基準の長さに対して大小どの程度の長さの差異があるかを視認する作業に使用したものである。
【００２１】
この第二形態例は上記構成であるから、長さ寸法を測定する場合と同様に、本尺１に対してスライダ２を摺動して一方の測定ジョー３と他方の測定ジョーと４を被測定物Ｗに当接し、このときの基線８の位置又はバーニヤ目盛７の零位置に対応する表記Ｑにより、例えば、長さ５０ｍｍを基準の長さとし、この基準の長さに対して大小どの程度の長さの差異があるかを視認する作業を容易に行うことができる。
【００２２】
図７の第三形態例は別例構造を示し、この場合、上記被測定物Ｗの測定仕様に依拠する文字、図形、記号、数値等の表記Ｑとして、合格、不合格等を示す文字等の表記Ｑを上側本尺目盛６又は下側本尺目盛５に基づいて記入してあり、基線８の位置又はバーニヤ目盛７の零位置に対応する表記Ｑにより長さ寸法に依拠する合否の表記Ｑを視認して被測定物Ｗの測定仕様としての長さの合否判定作業に使用したものである。
【００２３】
この実施の第三形態例は上記構成であるから、長さ寸法を測定する場合と同様に、本尺１に対してスライダ２を摺動して一方の測定ジョー３と他方の測定ジョー４とを被測定物Ｗに当接し、このときの基線８の位置又はバーニヤ目盛７の零位置に対応する表記Ｑにより長さ寸法に依拠する合否判定を行うことができ、合否判定の作業性を向上することができる。
【００２４】
図８の第四形態例は別例構造を示し、この場合、上記被測定物Ｗの測定仕様に依拠する文字、図形、記号、数値等の表記Ｑとして、Ａ、Ｂ、Ｃ、Ｄの長さ領域を示す文字等の表記Ｑを上側本尺目盛６又は下側本尺目盛５に基づいて記入してあり、基線８の位置又はバーニヤ目盛７の零位置に対応する表記Ｑにより長さ寸法に依拠する長さ領域を判別して被測定物Ｗの測定仕様としての長さの判別作業に使用したものである。
【００２５】
この実施の第四形態例は上記構成であるから、長さ寸法を測定する場合と同様に、本尺１に対してスライダ２を摺動して一方の測定ジョー３と他方の測定ジョーと４を被測定物Ｗに当接し、このときの基線８の位置又はバーニヤ目盛７の零位置に対応する表記Ｑにより長さ寸法に依拠する長さの判別作業を行うことができ、判別の作業性を向上することができる。
【００２６】
尚、本発明は上記実施の形態例に限られるものではなく、合成樹脂の材質、本尺１、スライダ２、一方の測定ジョー３、他方の測定ジョー４の形状、下側本尺目盛５及び上側本尺目盛６、バーニヤ目盛７、基線８の形態等は適宜設計して変更されるものである。
【００２７】
以上、所期の目的を充分達成することができる。
【符号の説明】
【００２８】
Ｑ    表記
Ｗ    被測定物
１    本尺
２    スライダ
３    一方の測定ジョー
４    他方の測定ジョー
５    下側本尺目盛
６    上側本尺目盛
７    バーニヤ目盛
８    基線
９    記入貼着シート
１０    永久磁石
【図１】
2014206397.tif 000003
【図２】
2014206397.tif 000004
【図３】
2014206397.tif 000005
【図４】
2014206397.tif 000006
【図５】
2014206397.tif 000007
【図６】
2014206397.tif 000008
【図７】
2014206397.tif 000009
【図８】
2014206397.tif 000010